(57)【要約】    【課題】プーリに掛巻されたベルトを切断又は損傷することなく取り外すことができるベルト取り外し治具を提供する。    【解決手段】挟着部５と、ベルト２を押し出す押出部６とを備える。ベルト２およびプーリ３で挟着部５を挟着することにより、ベルト取り外し治具１をプーリに装着する。押出部６をプーリ３の周方向に対してプーリ軸方向に傾斜して設けておく。プーリ３を回転させてベルト２をプーリ３に巻き付かせながら、押出部６でベルト２をプーリ軸方向に徐々に押し出す。ベルト２を一カ所で一気に押し出す場合のようにベルト２を損傷したり、ベルト２を切断したりすることがない。【選択図】  図２
2006283949.tif 000002
【特許請求の範囲】
【請求項１】
プーリに掛巻されたベルトを前記プーリから取り外すためのベルト取り外し治具であって、ベルトおよびプーリ間に挟着される挟着部と、プーリに巻き付くベルトをプーリ軸方向に押し出す押出部とを備え、前記押出部は、ベルトを徐々に押し出すようプーリの周方向に対してプーリ軸方向に傾斜して設けられたことを特徴とするベルト取り外し治具。
【請求項２】
前記プーリに係止してプーリ軸方向への外れを規制する外れ止めが設けられ、該外れ止めは、前記押出部よりもプーリ回転方向後方に設けられたことを特徴とする請求項１に記載のベルト取り外し治具。
【請求項３】
前記プーリの外周面にプーリ溝が設けられ、該プーリ溝からプーリフランジを乗り越えさせて周方向に伸長可能なベルトを取り外すことを特徴とする請求項１又は２に記載のベルト取り外し治具。
【請求項４】
一枚の金属板を折り曲げて形成されたことを特徴とする請求項１、２又は３に記載のベルト取り外し治具。
【発明の詳細な説明】
【技術分野】
【０００１】
本発明は、プーリに掛巻されたベルトをプーリから取り外すためのベルト取り外し治具に関するものである。
【背景技術】
【０００２】
一般に、外周面にプーリ溝を有するプーリにベルトを掛巻してなるベルト伝動機構には、ベルト張力の作用しない状態でベルトを着脱できるように、テンションプーリなどの張力調整手段が設けられている。特許文献１には、張力調整手段のない場合にもベルトをプーリに取付可能なように、周方向に伸長可能なベルトをプーリに取り付けるためのベルト取付治具が開示されている。
【０００３】
図３に、特許文献１が開示するベルト取付治具（搭載ツール）を示す。ベルト取付治具１０１は、プーリ１０２に装着して周方向に摺動させることにより、ベルト１０３を掛ける円錐形部材１０４の端部に設けられた案内平滑面１０５で、ベルト１０３をプーリ溝１０６に向けて押し込むようになっている。
【特許文献１】特開平１０−１８４８１３号公報（段落番号００１２、００１５、００６０〜００６６、図６）
【発明の開示】
【発明が解決しようとする課題】
【０００４】
ところが、上記のベルト取付治具は、プーリにベルトを取り付けることはできるが、プーリからベルトを取り外すことができないため、交換時期に達したベルトを交換するときや整備作業などでベルトを取り外す必要のあるとき、ベルトを切断して取り外すようにしている。特に、新品状態のベルトを掛巻した設備の整備作業では、ベルトを切断したり、無理に取り外そうとしてベルトを損傷したりすることにより、十分に使用可能なベルトを無駄にするおそれがある。
【０００５】
本発明は、プーリに掛巻されたベルトを切断又は損傷することなく取り外すことができるベルト取り外し治具を提供することを目的とする。
【課題を解決するための手段】
【０００６】
上記目的を達成するために、本発明に係るベルト取り外し治具は、プーリに掛巻されたベルトをプーリから取り外すためのものであり、ベルトおよびプーリ間に挟着する挟着部と、プーリに巻き付くベルトをプーリ軸方向に押し出す押出部とを備えたものである。さらに、その押出部を、ベルトを徐々に押し出すようプーリの周方向に対してプーリ軸方向に傾斜して設けている。
【０００７】
この構成によれば、押出部をプーリの周方向に対してプーリ軸方向に傾斜して設けるようにしている。すなわち、押出部の位置を周方向の位置に対応させてプーリ軸方向に徐々に変化させているので、ベルトをプーリに巻き付かせながら徐々に押し出すことができ、ベルトを一カ所で一気に押し出す場合のようにベルトを損傷したり、ベルトを切断したりすることなくベルトを取り外すことができる。
【０００８】
押出部としては、径方向に対してプーリ軸方向に傾斜する案内面を有する構成を採用し、その案内面でプーリに巻き付くベルトを案内してプーリ軸方向に押し出すようにすることができる。なお、押出部の他の構成として、ベルトが巻き付くときの力によってプーリ軸方向に傾き、その際のプーリ軸方向の変位によってベルトを押し出すようにした構成も採用可能である。
【０００９】
また、ベルトとプーリとで挟着部を挟むことによってベルト取り外し治具を装着するので、プーリには、ベルト取り外し治具を装着するための専用の部位が不要であり、かつ周方向のいずれの部位にも装着できるなど、プーリへのベルト取り外し治具の装着を簡単にすることができる。さらに、ベルトが外れることにより、自動的にベルト取り外し治具も外れるので、ベルト取り外し治具の着脱を簡単にすることができる。
【００１０】
プーリ軸方向に受けるベルト反力に対しては、ベルトおよびプーリと挟着部との摩擦力や、プーリフランジへの係止によって抵抗させることができるが、さらに、ベルト取り外し治具に、プーリに係止してプーリ軸方向への外れを規制する外れ止めを設けることもできる。この外れ止めを設ける場合、押出部よりもプーリ回転方向後方に設けることにより、ベルト取り外し治具の外れを効果的に規制することができる。
【００１１】
つまり、ベルトをプーリ軸方向に徐々に押し出すので、プーリ回転方向の後方になるほど、ベルトで押圧される挟着部の面積が狭くなり、ベルトおよびプーリとの摩擦力が小さくなる。また、挟着部をベルトで押圧される幅だけに形成する場合、プーリ回転方向の後方では挟着部の幅が狭くなり、その側縁とプーリフランジとの間に隙間が空いてプーリフランジで十分に係止できなくなるおそれがある。これに対して、プーリ回転方向後方に外れ止めを設ければ、プーリ軸方向のベルト反力に対する抵抗が弱くなりやすい部位の外れを防止することができる。
【００１２】
ベルト取り外し治具は、プーリ溝のないプーリからベルトを取り外すこともできるが、外周面にプーリ溝のあるプーリからベルトを取り外す際にベルト取り外し治具を用いれば、本発明の好適な態様を提供することができる。
【００１３】
つまり、ベルトに周方向の伸長を伴わせてプーリフランジを乗り越えさせ、プーリ溝からベルトを取り外す場合、ベルトを無理に外すことになって損傷しやすいが、ベルト取り外し治具を用いることにより、ベルトを損傷することなく取り外すことができる。さらに、挟着部の厚さをフランジ高さと合わせてプーリフランジとの段差をなくし、ベルトをプーリからより外れやすくすることもできる。
【００１４】
ベルト取り外し治具は、どのような方法で形成したものであってもよいが、一枚の金属板を折り曲げてベルト取り外し治具を形成するようにすれば、金属板に切断および折曲加工を施すだけで、挟着部および押出部、さらに外れ止めを簡単に形成することができる。また、一枚の金属板から形成することにより、ベルトの載る挟着部を薄くすることができるので、プーリから取り外す際のベルトの一時的な伸びを抑えてベルトの損傷を防止することができる。
【発明の効果】
【００１５】
以上のとおり、本発明によると、ベルトをプーリに巻き付かせながら押出部で徐々に押し出すので、プーリに掛巻されたベルトを切断や損傷することなく取り外すことができる。これにより、整備作業などのために取り外したベルトを作業完了後に再び取り付けて使用することができるので、使用可能なベルトを新たなものに交換する必要がなく、ベルトをその寿命まで使用することができる。
【発明を実施するための最良の形態】
【００１６】
以下、本発明に係るベルト取り外し治具を実施するための最良の形態について、図面を用いて説明する。図１は本発明に係るベルト取り外し治具の斜視図、図２はベルト取り外し治具を用いてプーリからベルトを取り外す様子を示す斜視図である。
【００１７】
ベルト取り外し治具１は、周方向に伸長可能なベルト２を掛巻したプーリ３に装着して、プーリ３の外周面に形成されたプーリ溝４からベルト２を取り外すためのものであり、ベルト２およびプーリ３の間に挟着される挟着部５と、プーリ３を回転させたときに巻き付くベルト２をプーリ軸方向に押し出す押出部６と、プーリ３に係止してプーリ軸方向への外れを規制する外れ止め７とを備えている。
【００１８】
ベルト取り外し治具１を構成する挟着部５、押出部６および外れ止め７は、一枚の金属板を折り曲げることによって一体に形成され、その挟着部５の一側縁をプーリ軸方向外側（図２における上側）のプーリフランジ８に沿わせて、挟着部５をベルト２およびプーリ３で挟着することにより、ベルト取り外し治具１がプーリ３に装着される。
【００１９】
挟着部５は、プーリ３に装着したときのプーリ回転方向の後端側（図１における右側、図２における左側）を先狭に、かつ前端（図１における左端、図２における右端）の幅を両プーリフランジ８の間隔とほぼ等しく設定された帯状とされる。この挟着部５は、ベルト２およびプーリ３で挟着したときにベルト２がプーリ３になじむよう、プーリ溝４の外周面とほぼ等しい曲率で湾曲されている。
【００２０】
押出部６は、挟着部５の他側縁に沿って並ぶ５枚の金属片を垂直に立ち上げると共に、各金属片の先端部を他側に湾曲させて案内面９を形成してなる。これにより、ベルト取り外し治具１をプーリ３に装着したとき、押出部６がプーリ径方向外向きに突出すると共に、その案内面９がプーリ径方向に対してプーリ軸方向に傾斜し、プーリ３に巻き付くベルト２を案内してプーリ軸方向に押し出すようになっている。さらに、挟着部５が先狭とされることにより、押出部６がプーリ３の周方向に対してプーリ軸方向外側に傾斜して配列され、プーリ３に巻き付くベルト２を徐々に押し出すようになっている。なお、挟着部５から立ち上げて押出部６を構成する金属片は、５枚に限定されるものではなく、１枚〜４枚あるいは６枚以上であってもよい。
【００２１】
外れ止め７は、挟着部５の後端部（図１における右端部、図２における左端部）からプーリ径方向内向きに突出し、プーリ３のプーリ軸方向外側の側面に係止するようになっている。この外れ止め７は、挟着部５の後端部からプーリ径方向外向き（押出部６と同じ向き）に立ち上げた金属片をさらに折り返して形成される。これにより、ベルト取り外し治具１に折り曲げ形成する金属板として、長方形の金属板の一部を切断して押出部６および外れ止め７に形成する金属片を形成したものを用いることができる。
【００２２】
ベルト２は、周方向に伸長可能とされてテンショナーなどの張力調整手段を不要にするものであり、例えばベルト本体にポリアミドからなる心線を埋設した構造とすることによって周方向の伸び率を２〜３％に設定される。なお、本実施形態では、ベルト２として、プーリ３の外周面に形成されたプーリ溝４の複数の溝に嵌るＶリブドベルトを例示しているが、平ベルトなどのＶリブドベルト以外のベルトであってもよい。
【００２３】
次に、ベルト取り外し治具１を用いてプーリ２からベルト３を取り外す手順を説明する。まず、図２に示すように、挟着部５の一側縁をプーリ軸方向外側のプーリフランジ８に沿わせ、外れ止め７をプーリ３のプーリ軸方向外側の側面に係止する。このとき、挟着部５のプーリ回転方向前端の他側縁がプーリ軸方向内側（図２における下側）のプーリフランジ８に係止される。
【００２４】
プーリ３を回転させて、ベルト２を伸長しながら挟着部５に乗り上がらせ、挟着部５のプーリ回転方向前端部をベルト２とプーリ３とで挟むことにより、ベルト取付治具１をプーリ３に装着する。このとき、挟着部５を挟むだけなので、ベルト取付治具１をプーリ３に容易に装着することができる。なお、プーリ３は、そのセンターボルト１０に例えば市販の工具を装着して回転させることができる。
【００２５】
プーリ３をさらに回転させることにより、プーリ３に巻き付くベルト２の側面が押出部６の案内面９に沿って滑り、ベルト２がプーリ軸方向外側にずれる。このとき、案内面９にプーリ軸方向内向きのベルト反力が作用するが、挟着部５を挟着し、挟着部５のプーリ回転方向前端をプーリフランジ８に係止し、外れ止め７をプーリ３に係止しているので、ベルト取り外し治具１がずれることはない。なお、案内面９の表面とベルト２との摩擦係数を例えば１以下に設定することにより、ベルト２を滑らせやすくすることができる。
【００２６】
押出部６がプーリ３の周方向に対してプーリ軸方向外側に傾斜して配列されているので、ベルト２がプーリ３に巻き付くにしたがって徐々に押し出され、プーリフランジ８を乗り越えてプーリ軸方向外側に移動していく。このとき、ベルト２が挟着部５に乗り上がっているので、段差がなくなってプーリフランジ８を乗り越えやすくなっている。やがて、ベルト２がプーリ３から外れ、自動的にプーリ３からベルト取り外し治具１が外れる。
【図面の簡単な説明】
【００２７】
【図１】本発明に係るベルト取り外し治具の斜視図
【図２】ベルト取り外し治具を用いてプーリからベルトを取り外す様子を示す斜視図
【図３】従来のベルト取付治具を示す斜視図
【符号の説明】
【００２８】
１    ベルト取り外し治具
２    ベルト
３    プーリ
４    プーリ溝
５    挟着部
６    押出部
７    外れ止め
８    プーリフランジ
９    案内面
【図１】
2006283949.tif 000003
【図２】
2006283949.tif 000004
【図３】
2006283949.tif 000005